(57)【要約】【課題】樹脂製のダストカバーとゴム製のアッパインシュレータとを簡単且つ充分な強度で相互に取り付けて、異物の侵入を効果的に防止しながら、優れた耐久性をも実現し得る、新規な構造のダストカバー組立体を提供すること。【解決手段】アッパインシュレータ１６に筒状部４０が形成されていると共に、筒状部４０から外周側に突出して周方向に延びる係止突部４４，４６が形成されている一方、ダストカバー１４の蛇腹筒部１８がブロー成形によって形成されていると共に、蛇腹筒部１８の上側にはアッパインシュレータ１６における筒状部４０の外周面上に配置されたパリソン６８をブロー成形型で筒状部４０の外周面に押し付けることにより成形された係合用筒部３０が設けられて、係合用筒部３０が係止突部４４，４６に対して軸方向で係止されている。【選択図】図２
2014185755.tif 000002
【特許請求の範囲】
【請求項１】
サスペンション機構のショックアブソーバに外挿される樹脂製のダストカバーが、山部と谷部が連設された蛇腹筒部を備えており、該蛇腹筒部の上下両側が該ショックアブソーバのピストンロッドとシリンダの各一方によって支持されるようになっていると共に、該ダストカバーの上端部には、該サスペンション機構におけるコイルスプリングの上端部を支持するゴム製のアッパインシュレータが取り付けられているダストカバー組立体において、
前記アッパインシュレータに筒状部が形成されていると共に、該筒状部から外周側に突出して周方向に延びる係止突部が形成されている一方、
前記ダストカバーの前記蛇腹筒部がブロー成形によって形成されていると共に、該蛇腹筒部の上側には前記アッパインシュレータにおける前記筒状部の外周面上に配置されたパリソンをブロー成形型で該筒状部の外周面に押し付けることにより成形された係合用筒部が設けられて、該係合用筒部が該係止突部に対して軸方向で係止されていることを特徴とするダストカバー組立体。
【請求項２】
前記アッパインシュレータの前記筒状部には、軸方向上下に離れた複数列の前記係止突部が形成されている請求項１に記載のダストカバー組立体。
【請求項３】
前記係止突部の周上の少なくとも一部には周方向で該係止突部を分断する分割溝が形成されており、該分割溝に前記係合用筒部が入り込んで周方向に係止されることで前記ダストカバーと前記アッパインシュレータの周方向への相対回転を制限する回り止め手段が構成されている請求項１又は２に記載のダストカバー組立体。
【請求項４】
前記係止突部の突出寸法（ｔ）が、該係止突部を含んだ前記筒状部の厚さ寸法（Ｔ）に対してｔ≧Ｔ／４とされている請求項１〜３の何れか１項に記載のダストカバー組立体。
【請求項５】
前記アッパインシュレータの前記筒状部には前記ショックアブソーバに取り付けられた筒状金具が挿入配置されるようになっている請求項１〜４の何れか１項に記載のダストカバー組立体。
【発明の詳細な説明】
【技術分野】
【０００１】
本発明は、サスペンション機構に対して取り付けられるダストカバーとアッパインシュレータを備えたダストカバー組立体に関するものである。
【背景技術】
【０００２】
従来から、ショックアブソーバに外挿されて、ピストンロッドの突出部分の周囲を覆うダストカバーと、コイルスプリングの上端部を支持するアッパインシュレータとを備えるダストカバー組立体が知られている。このダストカバー組立体としては、特開２００３−７２３３８号公報（特許文献１）等に示されているように、例えば、ダストカバーとアッパインシュレータをゴム弾性体で一体形成したものがある。
【０００３】
ところで、ダストカバーは、上端部分がアッパインシュレータと一体で接続されて、ピストンロッドで支持されることにより、上方からの異物の侵入が防止される。一方、下端部分は、シリンダに対する自由な相対変位を許容された状態で遊挿されており、ショックアブソーバの伸長時にダストカバーに対する引張力の作用が回避されている。
【０００４】
ところが、ダストカバーの下端部分とシリンダとの間に設定される隙間が大きいと、ダストカバーの下端開口部から砂塵や水等の異物が侵入して、ピストンロッドに付着するおそれがある。更に、ダストカバーの蛇腹筒部が収縮変形した状態で引っ掛かって、ダストカバーがショックアブソーバの伸縮に追従し得なくなるおそれもあった。
【０００５】
そこで、特開平１０−３３１８９７号公報（特許文献２）等では、ダストカバーの下端部分をシリンダから突出する係止爪に係止させる等して、シリンダによって支持させる構造も提案されている。このような構造では、ダストカバーがショックアブソーバの伸縮に追従して強制的に伸縮変形されて、ダストカバーに軸方向の引張力が及ぼされ得ることから、ダストカバーを樹脂製として耐久性の向上を図ることも検討されている。
【０００６】
しかしながら、ダストカバーを樹脂製にすると、緩衝作用を得るためにゴム弾性体で形成されるアッパインシュレータとは一体形成することができなくなる。しかも、ゴム製のアッパインシュレータに樹脂製のダストカバーを後固着して、充分な固着強度を得ることも難しい。なお、ダストカバーの上端部分を支持する金具を、アッパインシュレータに設けておくことも考えられるが、部品点数や重量の増加等が問題になるおそれがあった。
【先行技術文献】
【特許文献】
【０００７】
【特許文献１】特開２００３−７２３３８号公報
【特許文献２】特開平１０−３３１８９７号公報
【発明の概要】
【発明が解決しようとする課題】
【０００８】
本発明は、上述の事情を背景に為されたものであって、その解決課題は、樹脂製のダストカバーとゴム製のアッパインシュレータとを簡単且つ充分な強度で相互に取り付けて、異物の侵入を効果的に防止しながら、優れた耐久性をも実現し得る、新規な構造のダストカバー組立体を提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。
【００１０】
本発明の第一の態様は、サスペンション機構のショックアブソーバに外挿される樹脂製のダストカバーが、山部と谷部が連設された蛇腹筒部を備えており、該蛇腹筒部の上下両側が該ショックアブソーバのピストンロッドとシリンダの各一方によって支持されるようになっていると共に、該ダストカバーの上端部には、該サスペンション機構におけるコイルスプリングの上端部を支持するゴム製のアッパインシュレータが取り付けられているダストカバー組立体において、前記アッパインシュレータに筒状部が形成されていると共に、該筒状部から外周側に突出して周方向に延びる係止突部が形成されている一方、前記ダストカバーの前記蛇腹筒部がブロー成形によって形成されていると共に、該蛇腹筒部の上側には前記アッパインシュレータにおける前記筒状部の外周面上に配置されたパリソンをブロー成形型で該筒状部の外周面に押し付けることにより成形された係合用筒部が設けられて、該係合用筒部が該係止突部に対して軸方向で係止されていることを、特徴とする。
【００１１】
このような第一の態様に従う構造とされたダストカバー組立体によれば、ゴム製のアッパインシュレータに対して樹脂製のダストカバーを容易に取り付けることができることから、耐久性に優れた樹脂製のダストカバーを採用することができる。それ故、軸方向寸法の大きいダストカバーを採用して、下端開口からの異物の侵入を防ぐことができると共に、ダストカバーの上下両側をショックアブソーバに支持させて、ダストカバーをショックアブソーバに対する外挿状態に保持できる。
【００１２】
しかも、ダストカバーの係合用筒部が取り付けられるアッパインシュレータの筒状部には、外周側に突出する係止突部が形成されており、筒状部の外周面に対応する係合用筒部が、係止突部に対して軸方向に係止されている。これにより、ダストカバーとアッパインシュレータの間で軸方向の抜け抗力が充分に確保されて、ダストカバーとアッパインシュレータの組付け状態が安定して維持される。
【００１３】
さらに、ブロー成形型の型閉じによって、係合用筒部がアッパインシュレータの外周面上に密着状態で成形されるようになっており、アッパインシュレータに対してダストカバーが予め取り付けられた状態で形成される。それ故、アッパインシュレータに対するダストカバーの組付け工程が不要になって、ダストカバー組立体の製造工程数が少なくなることから、ダストカバー組立体を容易に得ることができる。
【００１４】
本発明の第二の態様は、第一の態様に記載されたダストカバー組立体において、前記アッパインシュレータの前記筒状部には、軸方向上下に離れた複数列の前記係止突部が形成されているものである。
【００１５】
第二の態様によれば、アッパインシュレータとダストカバーの間で作用する軸方向の抜け抗力がより大きく得られて、ダストカバー組立体の組付け状態が安定して維持される。
【００１６】
本発明の第三の態様は、第一又は第二の態様に記載されたダストカバー組立体において、前記係止突部の周上の少なくとも一部には周方向で該係止突部を分割する分割溝が形成されており、該分割溝に前記係合用筒部が入り込んで周方向に係止されることで前記ダストカバーと前記アッパインシュレータの周方向への相対回転を制限する回り止め手段が構成されているものである。
【００１７】
第三の態様によれば、アッパインシュレータに対するダストカバーの周方向での相対的な向きが容易に設定されると共に、それらアッパインシュレータとダストカバーの相対的な向きが安定して保持される。
【００１８】
本発明の第四の態様は、第一〜第三の何れか１つの態様に記載されたダストカバー組立体において、前記係止突部の突出寸法（ｔ）が、該係止突部を含んだ前記筒状部の厚さ寸法（Ｔ）に対してｔ≧Ｔ／４とされているものである。
【００１９】
第四の態様によれば、係合用筒部に対する係止突部の軸方向での係止面積を充分に大きく設定することができて、軸方向の係止によってダストカバーとアッパインシュレータの間に作用する軸方向の抜け抗力を有利に得ることができる。
【００２０】
本発明の第五の態様は、第一〜第四の何れか１つの態様に記載されたダストカバー組立体において、前記アッパインシュレータの前記筒状部には前記ショックアブソーバに取り付けられた筒状金具が挿入配置されるようになっているものである。
【００２１】
第五の態様によれば、筒状部の内周側への変形量が筒状金具によって制限されることから、筒状部の変形によるアッパインシュレータに対するダストカバーの抜けが防止される。
【発明の効果】
【００２２】
本発明によれば、ゴム製のアッパインシュレータに対して樹脂製のダストカバーが容易に取り付けられることから、耐久性に優れた樹脂製のダストカバーを採用することができて、ダスト等の侵入を有利に防ぐことができる。しかも、アッパインシュレータの筒状部には係止突部が形成されており、係止突部とダストカバーの係合用筒部とが軸方向に係止されることで、アッパインシュレータからダストカバーが抜けるのを有利に防ぐことができる。
【００２３】
また、ダストカバーの係合用筒部とアッパインシュレータの筒状部とは、ダストカバーのブロー成形時にブロー成形型で押し付けられることにより嵌合されている。それ故、ダストカバーとアッパインシュレータを組み付ける工程が不要になって、ダストカバー組立体を容易に製造することができる。
【図面の簡単な説明】
【００２４】
【図１】本発明の一実施形態としてのダストカバー組立体をサスペンション機構への装着状態で示す縦断面図。
【図２】図１に示されたダストカバー組立体の縦断面図。
【図３】図２に示されたダストカバー組立体の要部を拡大して示す縦断面図。
【図４】図２に示されたダストカバー組立体の製造工程を説明する縦断面図であって、型閉じ前の状態を示す図。
【図５】図２に示されたダストカバー組立体の製造工程を説明する縦断面図であって、型閉じ後で且つブロー成形前の状態を示す図。
【図６】図２に示されたダストカバー組立体の製造工程を説明する縦断面図であって、ブロー成形後で且つ型開き前の状態を示す図。
【発明を実施するための形態】
【００２５】
以下、本発明の実施形態について、図面を参照しつつ説明する。
【００２６】
図１には、本発明の一実施形態としてのダストカバー組立体１０が、車両のサスペンション機構１２に対する装着状態で示されている。ダストカバー組立体１０は、ダストカバー１４とアッパインシュレータ１６とを備えている。以下の説明において、上下方向とは、原則として、図１中の上下方向を言う。
【００２７】
より詳細には、ダストカバー１４は、図２に示すように、全体として略円筒形状とされており、合成樹脂で形成されている。ダストカバー１４を形成する合成樹脂は、特に限定されるものではないが、本実施形態では、例えば熱可塑性樹脂としてのポリプロピレン（ＰＰ）にエチレン・プロピレンゴム（ＥＰＤＭ）を混合して分散化させたものが、耐候性や成形性等に優れることから採用されている。尤も、熱可塑性樹脂で形成する場合には、例えばポリプロピレンやポリエチレン等のポリオレフィン系樹脂、ポリアミド系樹脂、ポリ塩化ビニル系樹脂、ポリエステル系樹脂、ウレタン系樹脂、スチレン系樹脂、オレフィン系樹脂等といった各種の熱可塑性エラストマーが何れも採用され得る。
【００２８】
また、ダストカバー１４の軸方向中間部分には、蛇腹筒部１８が設けられている。蛇腹筒部１８は、外周側に凸の略横転Ｖ字断面で周方向環状に延びる山部２０と、外周側に凹の略横転Ｖ字断面で周方向環状に延びる谷部２２，２４とが、軸方向で交互に連設された構造を有している。更に、山部２０を挟んだ上下両側に形成される谷部は、一方が深さ寸法の大きい大谷部２２、他方が深さ寸法の小さい小谷部２４とされており、大谷部２２の内周端部と小谷部２４の内周端部が径方向で互いにずれて位置している。
【００２９】
さらに、蛇腹筒部１８の下側には、嵌合筒部２６が一体形成されている。嵌合筒部２６は、略円筒形状とされて、内周面に開口する周溝２８を備えている。
【００３０】
さらに、蛇腹筒部１８の上側には、係合用筒部３０が一体形成されている。係合用筒部３０は、略円筒形状であって、第一係合溝３２と第二係合溝３４を備えている。第一係合溝３２と第二係合溝３４は、それぞれ内周面に開口して周方向に延びる凹溝であって、第一係合溝３２が第二係合溝３４に対して軸方向上方に所定の距離を隔てて配置されている。
【００３１】
更にまた、第一係合溝３２と第二係合溝３４には、周方向の複数箇所に当接部３６が形成されている。当接部３６は、第一係合溝３２および第二係合溝３４内において係合用筒部３０から外周側に向かって突出している。これにより、本実施形態の第一係合溝３２と第二係合溝３４は、当接部３６によって周方向に分割されており、本実施形態では、各係合溝３２，３４の周上にそれぞれ６つの当接部３６が形成されて、それら係合溝３２，３４がそれぞれ周方向で６つに分割されている。なお、本実施形態では、第一係合溝３２の当接部３６と、第二係合溝３４の当接部３６とが、周方向で略同じ位置に形成されている。
【００３２】
また、ダストカバー１４の上端部を構成する係合用筒部３０は、アッパインシュレータ１６に取り付けられている。アッパインシュレータ１６は、全体として略円環形状のゴム弾性体であって、スプリング受部３８と筒状部４０とを一体で備えている。スプリング受部３８は、環状であって、上下に延びる筒状とされた内周部分と、内周部分の上端部から外周側に突出する外周部分とを備えている。
【００３３】
さらに、スプリング受部３８には、下方に突出する筒状部４０が一体形成されている。筒状部４０は、スプリング受部３８の内周端部から突出しており、その外周面には第一係止突部４４と第二係止突部４６が突設されている。第一係止突部４４と第二係止突部４６は、何れも筒状部４０から外周側に突出して周方向に延びており、第二係止突部４６に対して第一係止突部４４が軸方向上方に所定の距離を隔てて配置されている。また、第一係止突部４４と第二係止突部４６は、何れも突出先端側に向かって次第に軸方向で狭幅となっている。
【００３４】
更にまた、図３に示すように、第一係止突部４４と第二係止突部４６は、外周側に略同じ寸法：ｔで突出しており、それら第一，第二係止突部４４，４６の突出寸法：ｔが、それら第一，第二係止突部４４，４６の形成部分である筒状部４０の最大厚さ寸法：Ｔに対して、ｔ≧Ｔ／４の範囲に設定されている。蓋し、第一，第二係止突部４４，４６の突出寸法：ｔが筒状部４０の最大厚さ寸法：Ｔに対して小さすぎると、後述する第一，第二係合溝３２，３４に対する第一，第二係止突部４４，４６の軸方向での係止代が小さくなり過ぎて、ダストカバー１４とアッパインシュレータ１６の固定力が充分に得られないからである。なお、より好適には、第一，第二係止突部４４，４６の突出寸法：ｔが、筒状部４０の最大厚さ寸法：Ｔに対して、ｔ≧Ｔ／３の範囲に設定され、本実施形態では略ｔ＝Ｔ／２に設定されている。
【００３５】
更にまた、第一係止突部４４と第二係止突部４６の周上には、分割溝４８が形成されている。分割溝４８は、外周面に開口して軸方向に延びる凹溝であって、第一係止突部４４と第二係止突部４６が分割溝４８によって周方向に分割されている。第一係止突部４４と第二係止突部４６においてそれぞれ周上の複数箇所に分割溝４８が形成されて、それら分割溝４８を挟んで第一，第二係止突部４４，４６が周方向に分割されており、本実施形態では、各係止突部４４，４６が６つの分割溝４８によってそれぞれ周方向で６つに分割されている。更に、第一係止突部４４の分割溝４８と、第二係止突部４６の分割溝４８は、周方向の略同じ位置に形成されている。なお、分割溝４８は、アッパインシュレータ１６の当接部３６と略対応する周方向幅で形成されていると共に、周上で当接部３６と対応する位置に分散して配置されている。
【００３６】
このような構造とされたダストカバー１４とアッパインシュレータ１６は、係合用筒部３０が筒状部４０に嵌合されて相互に取り付けられている。即ち、ダストカバー１４の係合用筒部３０がアッパインシュレータ１６の筒状部４０に外挿されていると共に、図３に示すように、係合用筒部３０の内周面に開口する第一係合溝３２と第二係合溝３４に対して、筒状部４０の第一係止突部４４と第二係止突部４６が嵌め入れられている。これにより、第一，第二係止突部４４，４６と第一，第二係合溝３２，３４が軸方向に係止されて、係合用筒部３０が筒状部４０に嵌着されており、もって、ダストカバー組立体１０が構成されている。
【００３７】
このような構造とされたダストカバー組立体１０によれば、ゴム製のアッパインシュレータ１６に対して樹脂製のダストカバー１４を容易に組み付けることができる。
【００３８】
さらに、ダストカバー１４の係合用筒部３０に設けられた第一，第二係合溝３２，３４に対して、アッパインシュレータ１６の筒状部４０に設けられた第一，第二係止突部４４，４６が嵌め入れられて軸方向に係止されることで、ダストカバー１４とアッパインシュレータ１６を非接着で強固に組み付けることができる。
【００３９】
しかも、本実施形態では、軸方向で上下に離隔して第一，第二係合溝３２，３４と第一，第二係止突部４４，４６が設けられている。それ故、ダストカバー１４とアッパインシュレータ１６の間でそれら第一，第二係合溝３２，３４と第一，第二係止突部４４，４６の係止による抜け抗力がより大きく発揮されて、ダストカバー１４のアッパインシュレータ１６からの抜けがより効果的に防止される。
【００４０】
さらに、本実施形態では、第一，第二係合溝３２，３４を分割する複数の当接部３６が設けられていると共に、第一，第二係止突部４４，４６を周方向に分割する複数の分割溝４８が形成されており、当接部３６が分割溝４８に嵌め入れられて、周方向に係止されている。これにより、第一，第二係止突部４４，４６の第一，第二係合溝３２，３４内での移動端が、当接部３６と分割溝４８の周方向での当接によって規定されて、アッパインシュレータ１６に対するダストカバー１４の相対回転を制限する回り止め手段が構成されている。従って、アッパインシュレータ１６に対するダストカバー１４の周方向での相対的な向きを、容易に設定することができると共に、それらダストカバー１４とアッパインシュレータ１６を設定された向きに保持することができる。
【００４１】
ところで、ダストカバー組立体１０では、ダストカバー１４がブロー成形で形成されており、ダストカバー１４とアッパインシュレータ１６の組付けが、ダストカバー１４のブロー成形時に実現されるようになっている。以下、ダストカバー組立体１０の製造方法の一例について説明する。
【００４２】
先ず、図４に示すように、左右一対のブロー成形型５０，５０を準備すると共に、成形用ジグ５２を準備して、予め加硫成形されたアッパインシュレータ１６を成形用ジグ５２にセットする。
【００４３】
ブロー成形型５０は、ダストカバー１４の外周面に対応する形状とされた半割成形面５４を備えており、一対のブロー成形型５０，５０が向かい合わせで組み合わせることにより、それらブロー成形型５０，５０の間にキャビティ５６が形成されると共に、キャビティ５６の内面が半割成形面５４，５４で構成されたキャビティ形成面５８とされるようになっている。
【００４４】
成形用ジグ５２は、略円柱形状とされた内周拘束部６０を備えている。内周拘束部６０は、アッパインシュレータ１６の内径と略対応する外径で形成されており、アッパインシュレータ１６が上下逆向きに外挿されるようになっている。更に、内周拘束部６０の径方向略中央には、上方に突出するブロー管６２が設けられており、ブロー管６２が図示しない外部のエアー管路に接続されることで、ブロー管６２から圧縮空気が送出されるようになっている。
【００４５】
また、内周拘束部６０の下端部には、外周側に突出するフランジ状の外周載置部６４が一体形成されている。外周載置部６４は、その内周部分の上面がアッパインシュレータ１６の上面と略対応する形状とされており、アッパインシュレータ１６を内周拘束部６０に外挿した状態で外周載置部６４上に上下逆向きに載置可能とされている。
【００４６】
そして、図４に示すように、ダストカバー１４の形成材料を加熱軟化させてダイ６６からの押出し等で筒状に成形したパリソン６８を、相互に離隔して配置された一対のブロー成形型５０，５０の間に差し入れる。更に、パリソン６８の下端部が型成形等の手段で拡径されて、アッパインシュレータ１６の筒状部４０よりも大径とされており、拡径されたパリソン６８の下端部がアッパインシュレータ１６の筒状部４０に外挿される。
【００４７】
次に、図５に示すように、ブロー成形型５０，５０を型閉じして、ブロー成形型５０，５０および成形用ジグ５２の間にキャビティ５６を形成する。
【００４８】
そこにおいて、成形用ジグ５２の内周拘束部６０は、筒状部４０が外挿された上端部において、ブロー成形型５０，５０の下端部間で挟み込まれている。これにより、筒状部４０の外周面上に配置されたパリソン６８の下端部が、ブロー成形型５０，５０によって筒状部４０の外周面に押し当てられて、筒状部４０の外周面に沿った形状に成形される。その結果、パリソン６８の下端部によって係合用筒部３０が形成されると共に、係合用筒部３０の内周側に開口する第一，第二係合溝３２，３４が形成される。このようにして、ブロー成形型５０，５０の型閉じによってパリソン６８がアッパインシュレータ１６の筒状部４０に嵌着される。
【００４９】
なお、本実施形態では、筒状部４０の内周面が、成形用ジグ５２の内周拘束部６０の外周面に対して、隙間をもって外周側に離隔しており、筒状部４０の内周側への弾性変形が、内周拘束部６０によって変形量を制限された状態で、許容されている。これにより、ブロー成形型５０，５０の型閉じに際して、筒状部４０が内周側に弾性変形した縮径状態で係合用筒部３０が形成されるようになっており、筒状部４０が係合用筒部３０に向かって弾性的に付勢されて、筒状部４０が係合用筒部３０に密着するようになっている。図５に示すように、筒状部４０の内周側への弾性変形を充分に生ぜしめるために、筒状部４０と内周拘束部６０の重ね合わせ面間の隙間が、ブロー成形型５０，５０の下端よりも下方まで入り込んで形成されている。
【００５０】
次に、ブロー成形型５０，５０および成形用ジグ５２を型閉じした状態で、ブロー管６２からパリソン６８の内周側に圧縮空気を送り込むことにより、パリソン６８を空気圧で外周側に膨出変形させてキャビティ形成面５８に押し当てる。これにより、図６に示すように、パリソン６８がキャビティ形成面５８に対応する外面形状を有する薄肉の筒状に成形されて、蛇腹筒部１８および嵌合筒部２６を備えたブロー成形品７０が形成される。
【００５１】
なお、ブロー成形品７０の軸方向両端には不要な部分が形成されることから、ブロー成形品７０がブロー成形型５０，５０から取り外された後に図６中の二点鎖線で切断されて、軸方向両端の不要な部分が取り除かれることで、ダストカバー組立体１０が形成される。
【００５２】
以上により、ダストカバー１４の成形時に、ダストカバー１４の係合用筒部３０がアッパインシュレータ１６に内挿されると共に、第一，第二係合溝３２，３４に対して第一，第二係止突部４４，４６が嵌入されて、ダストカバー１４がアッパインシュレータ１６に組み付けられた状態で形成される。かくの如き製造方法によれば、ダストカバー１４をアッパインシュレータ１６に組み付ける工程を省略することができて、ダストカバー組立体１０をより簡単に得ることができる。
【００５３】
このようにして形成されたダストカバー組立体１０は、図１に示すように、自動車のサスペンション機構１２に取り付けられる。サスペンション機構１２は、ショックアブソーバ７２を構成するピストンロッド７４とシリンダ７６を備えており、ピストンロッド７４の上端部にアッパサポート７８が取り付けられている。アッパサポート７８は、インナ部材８０とアウタ部材８２を本体ゴム弾性体８４で弾性連結した構造とされており、インナ部材８０がピストンロッド７４の上端部に固定されると共に、アウタ部材８２が突設された複数の植設ボルト８６によって図示しない車両ボデー側に取り付けられるようになっている。更に、ピストンロッド７４には、バウンドストッパ８８が外嵌されている。このバウンドストッパ８８は、発泡ウレタン等で形成された筒状の弾性体であって、上端部がアッパサポート７８のアウタ部材８２に固定された筒状金具９０に嵌め入れられていると共に、下端部が筒状金具９０から下方に突出している。更にまた、ショックアブソーバ７２には、コイルスプリング９２が外挿されており、上端部がアッパサポート７８のアウタ部材８２で支持されていると共に、下端部がシリンダ７６に固定された図示しないロアスプリングシートで支持されている。
【００５４】
また、シリンダ７６の上端部には、シリンダキャップ９４が取り付けられている。シリンダキャップ９４は、逆向きの略有底円筒形状とされて、シリンダ７６の上端部に被せつけられていると共に、下端部には外周側に突出する係止爪９６が一体形成されている。
【００５５】
そして、ダストカバー組立体１０は、ダストカバー１４がサスペンション機構１２のショックアブソーバ７２に外挿されて、ショックアブソーバ７２におけるピストンロッド７４のシリンダ７６からの突出部分を覆うように配置される。
【００５６】
さらに、ピストンロッド７４の上端部に取り付けられるアッパサポート７８のアウタ部材８２に対して、アッパインシュレータ１６が重ね合わされて取り付けられることにより、ダストカバー１４における蛇腹筒部１８よりも上側がピストンロッド７４によって支持される。一方、シリンダキャップ９４の係止爪９６が、ダストカバー１４の嵌合筒部２６に設けられた周溝２８に挿し入れられて軸方向で係止されることにより、ダストカバー１４における蛇腹筒部１８よりも下側がシリンダ７６に取り付けられる。
【００５７】
更にまた、本実施形態では、アッパサポート７８のアウタ部材８２が、アッパスプリングシートを兼ねており、アッパインシュレータ１６のスプリング受部３８がアウタ部材８２に下方から重ね合わされて、コイルスプリング９２の上端部がスプリング受部３８を介してアウタ部材８２で支持される。更に、コイルスプリング９２の弾性によってスプリング受部３８がアウタ部材８２に押し付けられて、アッパインシュレータ１６がアウタ部材８２に取り付けられる。
【００５８】
さらに、バウンドストッパ８８を支持する筒状金具９０がアッパインシュレータ１６の筒状部４０に対して内挿状態で挿入配置されて、筒状部４０の第一，第二係止突部４４，４６が筒状金具９０に向かって突出しており、筒状部４０と係合用筒部３０との嵌合部分が筒状金具９０の外周側に位置している。これにより、筒状部４０および係合用筒部３０の内周側への変形量が筒状金具９０で制限されて、筒状部４０と係合用筒部３０が嵌合状態に安定して保持される。なお、本実施形態では、筒状金具９０が筒状部４０に対して内周側に離隔して配置されているが、筒状金具９０と筒状部４０は当接状態で重ね合わされていても良い。
【００５９】
このようなサスペンション機構１２に対するダストカバー組立体１０の装着状態において、ダストカバー１４は、上端部をピストンロッド７４に支持されると共に、下端部をシリンダ７６に支持されるようになっていることから、ダストカバー１４が常にピストンロッド７４のシリンダ７６からの突出部分よりも下方まで延びている。それ故、ダストカバー１４の下端開口から砂塵等が侵入して、ピストンロッド７４の突出部分に付着するのを、効果的に防ぐことができる。しかも、ダストカバー１４の下端開口は、シリンダキャップ９４の係止爪９６によって実質的な開口面積が小さくなっており、異物の侵入がより効果的に防止されている。
【００６０】
さらに、上下両端部をショックアブソーバ７２で支持されたダストカバー１４が樹脂製とされており、引張力に対して充分な耐久性が確保されている。しかも、上下方向の長さが下端開口からの異物の侵入を防ぎ得る長さをもった長尺構造であっても、蛇腹筒部１８がブロー成形によって充分に薄肉とされて、ショックアブソーバ７２の伸縮に高度に追従可能とされていることから、軸方向の圧縮力で蛇腹筒部１８が損傷するのも回避できる。加えて、ダストカバー１４がゴム製のアッパインシュレータ１６に弾性支持されていることから、アッパインシュレータ１６の弾性変形によってダストカバー１４に作用する力が低減されて、ダストカバー１４の耐久性の向上が図られる。
【００６１】
また、ダストカバー１４とアッパインシュレータ１６の嵌合部分が、バウンドストッパ８８を支持する筒状金具９０の外周側に位置していることから、衝撃的な大入力によってショックアブソーバ７２が大きく収縮する場合には、それらダストカバー１４とアッパインシュレータ１６の嵌合部分が筒状金具９０で保護される。それ故、ダストカバー１４とアッパインシュレータ１６の嵌合部分に作用する力が低減されて、ダストカバー１４がアッパインシュレータ１６から脱落するのを防ぐことができる。
【００６２】
以上、本発明の実施形態について詳述してきたが、本発明はその具体的な記載によって限定されない。例えば、前記実施形態では、ダストカバー１４の係合用筒部３０において上下に離れて配置された第一係合溝３２と第二係合溝３４とによって、係合溝が構成されて上下２列に設けられていたが、係合溝は、１列だけが設けられていても良いし、上下で相互に離隔した３列以上が設けられていても良い。同様に、アッパインシュレータに設けられる係止突部についても、必ずしも第一係止突部４４と第二係止突部４６で構成される必要はなく、１列又は上下で相互に離隔した３列以上の係止突部が設けられていても良い。
【００６３】
さらに、係合溝は、必ずしも当接部３６によって周方向に分割されていなくても良く、例えば、全周に亘って連続する環状の凹溝であっても良い。同様に、係止突部は、必ずしも分割溝４８によって周方向に分割されていなくても良く、例えば、全周に亘って連続する環状の突条であっても良い。
【００６４】
また、前記実施形態のアッパインシュレータ１６は、ゴム弾性体単体で形成されているが、例えば、筒状部４０に硬質材料で形成された筒状の拘束部材を埋設することで、筒状部４０の変形量を制限することもできる。これによれば、ダストカバー１４とアッパインシュレータ１６の固定力を高めることができると共に、筒状部４０の外周面をブロー成形型５０，５０で拘束することなく、ダストカバー１４をブロー成形することもできる。
【符号の説明】
【００６５】
１０：ダストカバー組立体、１２：サスペンション機構、１４：ダストカバー、１６：アッパインシュレータ、１８：蛇腹筒部、２０：山部、２２：大谷部（谷部）、２４：小谷部（谷部）、３０：係合用筒部、３２：第一係合溝、３４：第二係合溝、３６：当接部、４０：筒状部、４４：第一係止突部、４６：第二係止突部、４８：分割溝、５０：ブロー成形型、６８：パリソン、７２：ショックアブソーバ、７４：ピストンロッド、７６：シリンダ、９０：筒状金具、９２：コイルスプリング
【図１】
2014185755.tif 000003
【図２】
2014185755.tif 000004
【図３】
2014185755.tif 000005
【図４】
2014185755.tif 000006
【図５】
2014185755.tif 000007
【図６】
2014185755.tif 000008